(57)【要約】【課題】もし焦点距離が４００mmを超える超望遠域をカバーしても（長焦点距離端での焦点距離が４００mmを超えても）、長焦点距離端でのＦ値が明るく、ズーム全域に亘って、優れた光学性能を達成することができるズームレンズ系を得る。【解決手段】正の第１レンズ群と、負の第２レンズ群と、正の第３レンズ群と、負の第４レンズ群と、正の第５レンズ群と、負の第６レンズ群とからなり、ワイド端からテレ端への変倍に際し、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少し、条件式（１）及び（２）を満足するズームレンズ系。（１）−３．０＜ｆ２／ｆ３＜−０．９８（２）１．０＜ｆ４／ｆ６＜３．２但し、ｆｉ：第ｉレンズ群の焦点距離（ｉ＝２、３、４、６）。【選択図】図１
2015125385.tif 000002
【特許請求の範囲】
【請求項１】
物体側から順に、正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群とからなり、
短焦点距離端から長焦点距離端への変倍に際し、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少し、
次の条件式（１）及び（２）を満足することを特徴とするズームレンズ系。
（１）−３．０＜ｆ２／ｆ３＜−０．９８
（２）１．０＜ｆ４／ｆ６＜３．２
但し、
ｆｉ：第ｉレンズ群の焦点距離（ｉ＝２、３、４、６）。
【請求項２】
請求項１記載のズームレンズ系において、次の条件式（３）を満足するズームレンズ系。
（３）−８．０＜ｆ１／ｆ２＜−２．２５
但し、
ｆｉ：第ｉレンズ群の焦点距離（ｉ＝１、２）。
【請求項３】
請求項１または２記載のズームレンズ系において、次の条件式（４）を満足するズームレンズ系。
（４）−１．２＜ｆ３／ｆ４＜−０．５
但し、
ｆｉ：第ｉレンズ群の焦点距離（ｉ＝３、４）。
【請求項４】
請求項１ないし３のいずれか１項記載のズームレンズ系において、次の条件式（５）を満足するズームレンズ系。
（５）０．７＜ｆ２／ｆ４＜４．０
但し、
ｆｉ：第ｉレンズ群の焦点距離（ｉ＝２、４）。
【請求項５】
請求項１ないし４のいずれか１項記載のズームレンズ系において、次の条件式（６）を満足するズームレンズ系。
（６）１．６＜ｆ２／ｆ６＜６．０
但し、
ｆｉ：第ｉレンズ群の焦点距離（ｉ＝２、６）。
【請求項６】
請求項１ないし５のいずれか１項記載のズームレンズ系において、次の条件式（７）を満足するズームレンズ系。
（７）−１０．０＜ｆ１／ｆ６＜−４．０
但し、
ｆｉ：第ｉレンズ群の焦点距離（ｉ＝１、６）。
【発明の詳細な説明】
【技術分野】
【０００１】
本発明は、例えば一眼レフカメラに用いて好適なズームレンズ系に関する。
【背景技術】
【０００２】
従来の一般的な望遠ズームレンズ系（例えば３５mm判フォーマット換算で焦点距離が７０mm〜３００mm）は、正負正の３群タイプが主流である。この正負正の３群タイプの望遠ズームレンズ系は、比較的簡素な構成で低コスト化に有利であるという長所を持つ一方、前群（正の第１レンズ群）を繰り出してフォーカシングを行うため、前玉径が大きくなり、レンズ全系が大きく重くなりがちであるという欠点を持つ。特に、焦点距離が４００mmを超える超望遠域ではこの欠点が大きくなりすぎるため、正負正の３群タイプの超望遠ズームレンズ系は非現実的である。
【０００３】
一方、特許文献１、２には、正負正負正負の６群タイプ（いわゆる正リード型）で構成され、最も像側の負の第６レンズ群をフォーカスレンズ群とした望遠ズームレンズ系が開示されている。しかし、いずれの望遠ズームレンズ系も、焦点距離が４００mmを超える超望遠域をカバーできておらず（長焦点距離端での焦点距離が４００mmを超えておらず）、また、ズーム全域に亘って、球面収差、コマ収差、歪曲収差、像面湾曲等の諸収差を良好に補正することができず、十分な光学性能を達成できていない。
【０００４】
さらに、特許文献１、２を含む望遠ズームレンズ系の全般において、長焦点距離端でのＦ値が６より明るいことがスペックとして要求されている。
【先行技術文献】
【特許文献】
【０００５】
【特許文献１】特開２０１１−２１５２１８号公報
【特許文献２】特開平１１−１７４３２５号公報
【発明の概要】
【発明が解決しようとする課題】
【０００６】
本発明は、以上の問題意識に基づいてなされたものであり、もし焦点距離が４００mmを超える超望遠域をカバーしても（長焦点距離端での焦点距離が４００mmを超えても）、長焦点距離端でのＦ値が明るく、ズーム全域に亘って、優れた光学性能を達成することができるズームレンズ系を得ることを目的とする。
【課題を解決するための手段】
【０００７】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群とからなり、短焦点距離端から長焦点距離端への変倍に際し、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少し、次の条件式（１）及び（２）を満足することを特徴としている。
（１）−３．０＜ｆ２／ｆ３＜−０．９８
（２）１．０＜ｆ４／ｆ６＜３．２
但し、
ｆｉ：第ｉレンズ群の焦点距離（ｉ＝２、３、４、６）、
である。
【０００８】
条件式（１）が規定する条件範囲の中でも、次の条件式（１’）を満足することが好ましい。
（１’）−１．８＜ｆ２／ｆ３＜−１．００
【０００９】
条件式（２）が規定する条件範囲の中でも、次の条件式（２’）を満足することが好ましい。
（２’）１．０＜ｆ４／ｆ６＜３．０
【００１０】
本発明のズームレンズ系は、次の条件式（３）を満足することが好ましい。
（３）−８．０＜ｆ１／ｆ２＜−２．２５
但し、
ｆｉ：第ｉレンズ群の焦点距離（ｉ＝１、２）、
である。
【００１１】
条件式（３）が規定する条件範囲の中でも、次の条件式（３’）を満足することが好ましい。
（３’）−５．０＜ｆ１／ｆ２＜−２．２５
【００１２】
本発明のズームレンズ系は、次の条件式（４）を満足することが好ましい。
（４）−１．２＜ｆ３／ｆ４＜−０．５
但し、
ｆｉ：第ｉレンズ群の焦点距離（ｉ＝３、４）、
である。
【００１３】
条件式（４）が規定する条件範囲の中でも、次の条件式（４’）を満足することが好ましい。
（４’）−１．２＜ｆ３／ｆ４＜−０．８
【００１４】
本発明のズームレンズ系は、次の条件式（５）を満足することが好ましい。
（５）０．７＜ｆ２／ｆ４＜４．０
但し、
ｆｉ：第ｉレンズ群の焦点距離（ｉ＝２、４）、
である。
【００１５】
条件式（５）が規定する条件範囲の中でも、次の条件式（５’）を満足することが好ましい。
（５’）０．８５＜ｆ２／ｆ４＜２．０
【００１６】
本発明のズームレンズ系は、次の条件式（６）を満足することが好ましい。
（６）１．６＜ｆ２／ｆ６＜６．０
但し、
ｆｉ：第ｉレンズ群の焦点距離（ｉ＝２、６）、
である。
【００１７】
条件式（６）が規定する条件範囲の中でも、次の条件式（６’）を満足することが好ましい。
（６’）１．６＜ｆ２／ｆ６＜４．０
【００１８】
本発明のズームレンズ系は、次の条件式（７）を満足することが好ましい。
（７）−１０．０＜ｆ１／ｆ６＜−４．０
但し、
ｆｉ：第ｉレンズ群の焦点距離（ｉ＝１、６）、
である。
【００１９】
本発明のズームレンズ系は、第３レンズ群を、物体側から順に、正レンズ、及び物体側から順に位置する負レンズと正レンズの接合レンズから構成し、次の条件式（８）を満足することが好ましい。
（８）Ｎｄ３ｎ−Ｎｄ３ｐ＞０．０２
但し、
Ｎｄ３ｎ：第３レンズ群中の接合レンズの負レンズのｄ線に対する屈折率、
Ｎｄ３ｐ：第３レンズ群中の接合レンズの正レンズのｄ線に対する屈折率、
である。
【発明の効果】
【００２０】
本発明によれば、もし焦点距離が４００mmを超える超望遠域をカバーしても（長焦点距離端での焦点距離が４００mmを超えても）、長焦点距離端でのＦ値が明るく、ズーム全域に亘って、優れた光学性能を達成することができるズームレンズ系が得られる。
【図面の簡単な説明】
【００２１】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の短焦点距離端における無限遠合焦時のレンズ構成図である。
【図３２】図３１の構成における諸収差図である。
【図３３】図３１の構成における横収差図である。
【図３４】同数値実施例６の長焦点距離端における無限遠合焦時のレンズ構成図である。
【図３５】図３４の構成における諸収差図である。
【図３６】図３４の構成における横収差図である。
【図３７】本発明によるズームレンズ系のズーム軌跡を示す簡易移動図である。
【発明を実施するための形態】
【００２２】
本実施形態のズームレンズ系は、全数値実施例１−６を通じて、図３７の簡易移動図に示すように、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５と、負の屈折力の第６レンズ群Ｇ６とからなる。第４レンズ群Ｇ４と第５レンズ群Ｇ５との間（第４レンズ群Ｇ４の直後）には絞りＳが位置している。Ｉは像面である。
【００２３】
本実施形態のズームレンズ系は、全数値実施例１−６を通じて、図３７の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少し、第５レンズ群Ｇ５と第６レンズ群Ｇ６の間隔が減少する。
第１レンズ群Ｇ１、第３レンズ群Ｇ３、第５レンズ群Ｇ５及び第６レンズ群Ｇ６は、短焦点距離端から長焦点距離端への変倍に際し、単調に物体側に移動する（繰り出される）。第１レンズ群Ｇ１の移動量（繰り出し量）が最も大きく、第６レンズ群Ｇ６の移動量（繰り出し量）が２番目に大きく、第３レンズ群Ｇ３と第５レンズ群Ｇ５の移動量（繰り出し量）が同一で且つ最も小さくなっている。
第２レンズ群Ｇ２は、短焦点距離端から長焦点距離端への変倍に際し、像面Ｉに対して固定されている（光軸方向に移動しない）。第４レンズ群Ｇ４は、短焦点距離端から長焦点距離端への変倍に際し、直後に位置する絞りＳと一緒に、像面Ｉに対して固定されている（光軸方向に移動しない）。
【００２４】
本実施形態のズームレンズ系は、全数値実施例１−６を通じて、図３７の簡易移動図に示すように、無限遠物体から有限距離物体へ合焦させるに際し、最も像側の負の屈折力の第６レンズ群Ｇ６を像側に移動させるリヤフォーカス方式を採用している。
【００２５】
第１レンズ群Ｇ１は、全数値実施例１−６を通じて、物体側から順に位置する負レンズ１１と正レンズ１２の接合レンズ、及び正レンズ１３からなる。
【００２６】
第２レンズ群Ｇ２は、数値実施例１、４では、物体側から順に位置する負レンズ２１と正レンズ２２の接合レンズからなる。
第２レンズ群Ｇ２は、数値実施例２、３、５、６では、物体側から順に、負レンズ２１’、及び物体側から順に位置する負レンズ２２’と正レンズ２３’の接合レンズからなる。
【００２７】
第３レンズ群Ｇ３は、全数値実施例１−６を通じて、物体側から順に、正レンズ３１、及び物体側から順に位置する負レンズ３２と正レンズ３３の接合レンズからなる。
【００２８】
第４レンズ群Ｇ４は、全数値実施例１−６を通じて、物体側から順に位置する負レンズ４１と正レンズ４２の接合レンズからなる。
【００２９】
第５レンズ群Ｇ５は、全数値実施例１−６を通じて、物体側から順に、正レンズ５１、正レンズ５２、及び物体側から順に位置する正レンズ５３と負レンズ５４の接合レンズからなる。
【００３０】
第６レンズ群Ｇ６は、全数値実施例１−６を通じて、物体側から順に、負レンズ６１、及び物体側から順に位置する負レンズ６２と正レンズ６３の接合レンズからなる。
【００３１】
本実施形態のズームレンズ系は、正負正負正負の６群タイプ（いわゆる正リード型）であり、フォーカシング方式として、最も像側の負の屈折力の第６レンズ群Ｇ６を像側に移動させるリヤフォーカス方式を採用している。このように構成された本実施形態のズームレンズ系は、焦点距離が４００mmを超える超望遠域をカバーし（長焦点距離端での焦点距離が４００mmを超えており）、長焦点距離端でのＦ値を６より明るくすることに成功している。
【００３２】
そして本実施形態のズームレンズ系は、第１レンズ群Ｇ１ないし第６レンズ群Ｇ６の各レンズ群のパワーバランスを最適設定することで、ズーム全域に亘って、球面収差、コマ収差、歪曲収差、像面湾曲、軸上色収差、倍率色収差等の諸収差を良好に補正して、優れた光学性能を達成することに成功している。
【００３３】
条件式（１）は、第２レンズ群Ｇ２と第３レンズ群Ｇ３のパワーバランスを規定している。条件式（１）を満足することで、ズーミング時の球面収差の変動を抑えるとともに、コマ収差を良好に補正して、優れた光学性能を達成することができる。
条件式（１）の上限を超えると、第２レンズ群Ｇ２の負のパワーが強くなりすぎて、ズーミング時の球面収差の変動が大きくなってしまう。
条件式（１）の下限を超えると、第３レンズ群Ｇ３の正のパワーが強くなりすぎて、コマ収差が大きく発生してしまう。
【００３４】
条件式（２）は、第４レンズ群Ｇ４と第６レンズ群Ｇ６のパワーバランスを規定している。条件式（２）を満足することで、ズーミング時の像面湾曲の変動を抑えるとともに、歪曲収差を良好に補正して、優れた光学性能を達成することができる。
条件式（２）の上限を超えると、第６レンズ群Ｇ６の負のパワーが強くなりすぎて、プラスの歪曲収差が発生し易くなってしまう。
条件式（２）の下限を超えると、第４レンズ群Ｇ４の負のパワーが強くなりすぎて、ズーミング時の像面湾曲の変動が大きくなってしまう。
【００３５】
条件式（３）は、第１レンズ群Ｇ１と第２レンズ群Ｇ２のパワーバランスを規定している。条件式（３）を満足することで、球面収差と色収差（軸上色収差、倍率色収差）を良好に補正して、優れた光学性能を達成することができる。
条件式（３）の上限を超えると、第１レンズ群Ｇ１の正のパワーが強くなりすぎて、長焦点距離端において球面収差と軸上色収差が大きく発生してしまう。
条件式（３）の下限を超えると、第１レンズ群Ｇ１の正のパワーが弱くなりすぎて、第１レンズ群Ｇ１のズーミング時の移動量が大きくなる結果、倍率色収差の変動が大きくなってしまう。
【００３６】
条件式（４）は、第３レンズ群Ｇ３と第４レンズ群Ｇ４のパワーバランスを規定している。条件式（４）を満足することで、ズーミング時の軸上色収差と像面湾曲の変動を抑えて、優れた光学性能を達成することができる。
条件式（４）の上限を超えると、第３レンズ群Ｇ３の正のパワーが強くなりすぎて、ズーミング時の軸上色収差の変動が大きくなってしまう。
条件式（４）の下限を超えると、第４レンズ群Ｇ４の負のパワーが強くなりすぎて、ズーミング時の像面湾曲の変動が大きくなってしまう。
【００３７】
条件式（５）は、第２レンズ群Ｇ２と第４レンズ群Ｇ４のパワーバランスを規定している。条件式（５）を満足することで、ズーミング時の像面湾曲と球面収差の変動を抑えて、優れた光学性能を達成することができる。
条件式（５）の上限を超えると、第４レンズ群Ｇ４の負のパワーが強くなりすぎて、ズーミング時の像面湾曲の変動が大きくなってしまう。
条件式（５）の下限を超えると、第２レンズ群Ｇ２の負のパワーが強くなりすぎて、ズーミング時の球面収差の変動が大きくなってしまう。
【００３８】
条件式（６）は、第２レンズ群Ｇ２と第６レンズ群Ｇ６のパワーバランスを規定している。条件式（６）を満足することで、第６レンズ群Ｇ６をフォーカスレンズ群としたときにフォーカシング時の収差変動を抑えるとともに、歪曲収差を良好に補正して、優れた光学性能を達成することができる。
条件式（６）の上限を超えると、第６レンズ群Ｇ６の負のパワーが強くなりすぎて、プラスの歪曲収差が発生し易くなってしまう。
条件式（６）の下限を超えると、第６レンズ群Ｇ６の負のパワーが弱くなりすぎて、第６レンズ群Ｇ６をフォーカスレンズ群としたときにそのフォーカスパワーが弱くなってフォーカシング移動量が大きくなる結果、フォーカシング時の収差変動が大きくなってしまう。
【００３９】
条件式（７）は、第１レンズ群Ｇ１と第６レンズ群Ｇ６のパワーバランスを規定している。条件式（７）を満足することで、球面収差、軸上色収差、歪曲収差を良好に補正して、優れた光学性能を達成することができる。
条件式（７）の上限を超えると、第１レンズ群Ｇ１の正のパワーが強くなりすぎて、長焦点距離端において球面収差と軸上色収差が大きく発生してしまう。
条件式（７）の下限を超えると、第６レンズ群Ｇ６の負のパワーが強くなりすぎて、プラスの歪曲収差が発生し易くなってしまう。
【００４０】
本実施形態のズームレンズ系は、全数値実施例１−６を通じて、第３レンズ群Ｇ３を、物体側から順に、物体側に凸面を向けた正レンズ（両凸正レンズ）３１、及び物体側から順に位置する物体側に凸の負メニスカスレンズ３２と正レンズ（物体側に凸の正メニスカスレンズ）３３の接合レンズから構成している。
第３レンズ群Ｇ３は長焦点距離端の軸上光線に効くため、第３レンズ群Ｇ３における軸上色収差と球面収差の補正が重要である。色収差（軸上色収差）を良好に補正するためには、第３レンズ群Ｇ３中の正レンズ３１、３３にｄ線に対するアッベ数が大きい硝材、特に異常分散性の高いＥＤガラスを用いるのが効果的であるが、その反面、ＥＤガラスは屈折率が低く球面収差が発生しやすいというデメリットがある。
このデメリットを回避するために、本実施形態のズームレンズ系は、第３レンズ群Ｇ３中にｄ線に対する屈折率が高い硝材からなる物体側に凸面を向けた負メニスカスレンズ３２を含ませて、条件式（８）を満足することが好ましい。
【００４１】
本実施形態のズームレンズ系は、従来品の正負正負正負の６群タイプのズームレンズ系と比較して、第４レンズ群Ｇ４の負のパワーを強くすることで、像面湾曲の補正効果を高めている。この場合、仮に第４レンズ群を負単レンズで構成すると、球面収差や色収差が大きく発生して、光学性能が劣化してしまう。そこで本実施形態のズームレンズ系は、全数値実施例１−６を通じて、第４レンズ群Ｇ４を、物体側から順に位置する負レンズ４１と正レンズ４２の接合レンズから構成することにより、球面収差や色収差の発生を抑えて、優れた光学性能を達成している。
【実施例】
【００４２】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−６を通じて、非球面レンズは用いていない。
【００４３】
全数値実施例１−６を通じて、第６レンズ群Ｇ６と像面Ｉとの間には、図示を省略した固定絞りが設けられている（またはレンズマウントである）。この固定絞りは、短焦点距離端から長焦点距離端への変倍に際し、像面Ｉに対して固定されている（光軸方向に移動しない）。このため、バックフォーカスfBは、固定絞りと像面Ｉとの間の光軸上の距離であり、変倍に際して一定値となっている。また、数値実施例１、４における「d29」及び数値実施例２、３、５、６における「d31」は、第６レンズ群Ｇ６と固定絞りとの間の光軸上の距離であり、変倍に際してその値が変動するようになっている。
【００４４】
［数値実施例１］
図１〜図６と表１〜表３は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３はレンズ群データである。
【００４５】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５と、負の屈折力の第６レンズ群Ｇ６とからなる。第４レンズ群Ｇ４と第５レンズ群Ｇ５との間（第４レンズ群Ｇ４の直後）には絞りＳが位置しており、この絞りＳは、短焦点距離端から長焦点距離端への変倍に際し、第４レンズ群Ｇ４と一緒に、像面Ｉに対して固定されている（光軸方向に移動しない）。
【００４６】
第１レンズ群Ｇ１は、物体側から順に、物体側から順に位置する物体側に凸の負メニスカスレンズ１１と両凸正レンズ１２の接合レンズ、及び物体側に凸の正メニスカスレンズ１３からなる。
【００４７】
第２レンズ群Ｇ２は、物体側から順に位置する両凹負レンズ２１と物体側に凸の正メニスカスレンズ２２の接合レンズからなる。
【００４８】
第３レンズ群Ｇ３は、物体側から順に、両凸正レンズ３１、及び物体側から順に位置する物体側に凸の負メニスカスレンズ３２と物体側に凸の正メニスカスレンズ３３の接合レンズからなる。
【００４９】
第４レンズ群Ｇ４は、物体側から順に位置する両凹負レンズ４１と物体側に凸の正メニスカスレンズ４２の接合レンズからなる。
【００５０】
第５レンズ群Ｇ５は、物体側から順に、両凸正レンズ５１、両凸正レンズ５２、及び物体側から順に位置する両凸正レンズ５３と両凹負レンズ５４の接合レンズからなる。
【００５１】
第６レンズ群Ｇ６は、物体側から順に、物体側に凸の負メニスカスレンズ６１、及び物体側から順に位置する両凹負レンズ６２と物体側に凸の正メニスカスレンズ６３の接合レンズからなる。
【００５２】
（表１）
面データ
面番号          R          d          N(d)        ν(d)
1           743.832       2.20      1.72342       38.0
2           191.246       8.44      1.49700       81.6
3          -349.685       4.70
4           148.759       6.61      1.49700       81.6
5           533.611        d5
6          -347.713       2.00      1.65160       58.5
7            40.578       5.24      1.70154       41.2
8            75.081        d8
9           228.591       3.40      1.53775       74.7
10         -517.060       0.10
11           48.189       1.80      1.62230       53.2
12           32.908       9.84      1.49700       81.6
13          447.687        d13
14          -89.634       1.29      1.74400       44.8
15           37.433       4.42      1.74000       28.3
16          312.104       2.00
17絞          ∞          d17
18          225.562       4.07      1.48749       70.2
19          -63.016       0.11
20           92.604       3.39      1.49700       81.6
21         -263.189       0.10
22           46.899       6.79      1.48749       70.2
23          -83.698       1.25      1.84666       23.8
24          325.678        d24
25           91.426       0.80      1.81600       46.6
26           30.480       4.78
27          -93.865       1.20      1.72916       54.7
28           39.342       4.09      1.80518       25.4
29        33972.413        d29
（表２）
各種データ
ズーム比（変倍比）    2.84
短焦点距離端          中間焦点距離          長焦点距離端
FNO.            4.6                   5.6                   5.8
f            153.63                250.00                437.00
W               7.9                   4.9                   2.8
Y             21.64                 21.64                 21.64
fB            38.50                 38.50                 38.50
L            270.00                286.40                340.00
d5            36.71                 53.12                106.71
d8            32.24                 15.70                  5.20
d13            5.19                 21.73                 32.23
d17           31.53                 14.99                  4.49
d24           17.69                 13.61                  4.12
d29           29.52                 50.15                 70.13
（表３）
レンズ群データ
群          始面          焦点距離
1              1            275.81
2              6            -99.76
3              9             86.81
4             14            -92.22
5             18             47.10
6             25            -41.60
【００５３】
［数値実施例２］
図７〜図１２と表４〜表６は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表４は面データ、表５は各種データ、表６はレンズ群データである。
【００５４】
この数値実施例２のレンズ構成は、以下の点を除いて、数値実施例１のレンズ構成と同様である。
（１）第２レンズ群Ｇ２が、物体側から順に、物体側に凸の負メニスカスレンズ２１’、及び物体側から順に位置する両凹負レンズ２２’と物体側に凸の正メニスカスレンズ２３’の接合レンズからなる。
（２）第５レンズ群Ｇ５の負レンズ５４が、像側に凸の負メニスカスレンズからなる。
【００５５】
（表４）
面データ
面番号          R          d          N(d)        ν(d)
1           688.608      2.00       1.72047       34.7
2           187.718      8.82       1.49700       81.6
3          -395.345      0.20
4           150.028      7.46       1.49700       81.6
5           938.562       d5
6          6200.315      1.70       1.48749       70.2
7           243.856      1.39
8         -1216.933      1.90       1.60311       60.7
9            41.836      5.02       1.63980       34.5
10           70.438       d10
11          191.136      4.23       1.49700       81.6
12         -232.281      1.05
13           46.413      1.80       1.51742       52.4
14           28.239     11.87       1.49700       81.6
15          126.462       d15
16          -84.106      1.35       1.74400       44.8
17           32.373      4.40       1.74000       28.3
18          193.746      2.00
19絞          ∞         d19
20          945.516      4.22       1.48749       70.2
21          -54.432      0.28
22           97.925      2.98       1.48749       70.2
23         -631.498      1.18
24           54.434      5.78       1.48749       70.2
25          -74.121      1.20       1.84666       23.8
26        -5744.072       d26
27           52.169      1.20       1.80400       46.6
28           30.959      6.87
29         -116.680      1.36       1.72916       54.7
30           41.748      3.07       1.80518       25.4
31          233.018       d31
（表５）
各種データ
ズーム比（変倍比）    2.83
短焦点距離端          中間焦点距離          長焦点距離端
FNO.            4.6                   5.7                   5.8
f            154.20                250.00                437.00
W               7.8                   4.9                   2.8
Y             21.64                 21.64                 21.64
fB            38.50                 38.50                 38.50
L            269.76                284.62                334.76
d5            34.98                 49.83                 99.98
d10           29.24                 14.26                  5.30
d15            7.05                 22.04                 30.99
d19           27.99                 13.00                  4.05
d26           22.93                 18.09                  3.45
d31           25.74                 45.58                 69.17
（表６）
レンズ群データ
群          始面          焦点距離
1              1            255.94
2              6            -93.36
3             11             85.51
4             16            -77.50
5             20             50.93
6             27            -53.30
【００５６】
［数値実施例３］
図１３〜図１８と表７〜表９は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表７は面データ、表８は各種データ、表９はレンズ群データである。
【００５７】
この数値実施例３のレンズ構成は、以下の点を除いて、数値実施例１のレンズ構成と同様である。
（１）第２レンズ群Ｇ２が、物体側から順に、両凹負レンズ２１’、及び物体側から順に位置する両凹負レンズ２２’と物体側に凸の正メニスカスレンズ２３’の接合レンズからなる。
【００５８】
（表７）
面データ
面番号          R          d          N(d)        ν(d)
1           654.186      2.30       1.72047       34.7
2           184.622      9.03       1.49700       81.6
3          -358.537      0.20
4           150.235      6.92       1.49700       81.6
5          1022.643        d5
6          -744.468      1.60       1.48749       70.2
7           250.362      9.53
8          -358.680      1.80       1.60300       65.5
9            41.154      5.24       1.65016       39.4
10           80.374       d10
11          194.169      4.29       1.49700       81.6
12         -194.169      3.57
13           50.872      1.60       1.51742       52.4
14           28.747     10.17       1.49700       81.6
15          162.641       d15
16          -87.643      1.30       1.74400       44.8
17           33.459      4.49       1.74000       28.3
18          229.787      2.00
19絞           ∞        d19
20          217.178      4.30       1.48749       70.2
21          -63.222      0.10
22           85.025      3.61       1.48749       70.2
23         -231.395      0.10
24           50.341      5.48       1.48749       70.2
25          -88.442      1.40       1.84666       23.8
26          277.603       d26
27           58.316      1.20       1.81600       46.6
28           29.927      6.17
29         -108.535      1.20       1.72916       54.7
30           48.129      3.43       1.80810       22.8
31          340.182       d31
（表８）
各種データ
ズーム比（変倍比）    2.97
短焦点距離端          中間焦点距離          長焦点距離端
FNO.            4.6                   5.8                   5.8
f            147.18                250.00                437.48
W               8.2                   4.9                   2.8
Y             21.64                 21.64                 21.64
fB            38.50                 38.50                 38.50
L            270.00                284.84                334.99
d5            24.83                 39.67                 89.81
d10           30.78                 13.42                  4.98
d15            8.60                 25.96                 34.39
d19           27.79                 10.43                  1.99
d26           19.00                 15.20                  3.15
d31           29.48                 50.64                 71.12
（表９）
レンズ群データ
群          始面          焦点距離
1              1            243.48
2              6            -86.49
3             11             85.48
4             16            -83.88
5             20             48.04
6             27            -47.40
【００５９】
［数値実施例４］
図１９〜図２４と表１０〜表１２は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１０は面データ、表１１は各種データ、表１２はレンズ群データである。
【００６０】
この数値実施例４のレンズ構成は、数値実施例１のレンズ構成と同様である。
【００６１】
（表１０）
面データ
面番号          R          d          N(d)        ν(d)
1           660.126      2.00       1.72047       34.7
2           212.978      8.24       1.49700       81.6
3          -394.561      0.20
4           167.476      6.35       1.49700       81.6
5           581.576        d5
6          -624.411      2.00       1.60311       60.7
7            53.519      4.12       1.63980       34.5
8            84.405        d8
9           187.313      4.00       1.49700       81.6
10         -360.725      0.10
11           55.317      1.80       1.51742       52.4
12           32.745      9.19       1.49700       81.6
13          130.879       d13
14          -90.879      1.50       1.74320       49.3
15           33.576      5.22       1.74950       35.3
16          976.473      2.00
17絞           ∞        d17
18          218.886      4.10       1.48749       70.2
19          -76.329      2.16
20           85.846      3.65       1.49700       81.6
21         -203.939      0.10
22           48.112      5.42       1.48749       70.2
23          -91.518      1.50       1.84666       23.8
24          362.114       d24
25           93.516      1.20       1.80400       46.6
26           29.856      5.95
27         -100.517      1.40       1.72916       54.7
28           37.425      3.45       1.80518       25.4
29          985.386       d29
（表１１）
各種データ
ズーム比（変倍比）    2.85
短焦点距離端          中間焦点距離          長焦点距離端
FNO.            4.6                   5.7                   5.8
f            153.17                250.00                437.00
W               7.9                   4.9                   2.8
Y             21.64                 21.64                 21.64
fB            38.50                 38.50                 38.50
L            256.39                276.72                340.00
d5            20.96                 41.29                104.58
d8            34.85                 16.17                  5.18
d13            8.53                 27.21                 38.20
d17           32.59                 13.91                  2.93
d24           16.78                 12.24                  3.00
d29           28.53                 61.75                 71.97
（表１２）
レンズ群データ
群          始面          焦点距離
1              1            291.89
2              6           -127.00
3              9            107.72
4             14           -113.89
5             18             48.11
6             25            -40.24
【００６２】
［数値実施例５］
図２５〜図３０と表１３〜表１５は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１３は面データ、表１４は各種データ、表１５はレンズ群データである。
【００６３】
この数値実施例５のレンズ構成は、数値実施例３のレンズ構成と同様である。
【００６４】
（表１３）
面データ
面番号          R          d          N(d)        ν(d)
1           600.087      2.00       1.72047       34.7
2           190.037      9.00       1.49700       81.6
3          -347.386      0.71
4           140.403      6.23       1.49700       81.6
5           406.234        d5
6          -299.460      1.50       1.48749       70.2
7           178.818      2.08
8          -247.690      1.60       1.60311       60.7
9            46.784      4.29       1.63980       34.5
10           92.415       d10
11          151.813      4.35       1.49700       81.6
12         -151.813      0.10
13           49.409      1.80       1.54072       47.2
14           30.758      8.85       1.49700       81.6
15          286.376       d15
16          -85.225      1.20       1.75700       47.8
17           37.191      3.72       1.76182       26.5
18          162.153      2.00
19絞          ∞         d19
20          186.019      4.35       1.48749       70.2
21          -56.850      0.10
22           82.909      3.42       1.48749       70.2
23         -277.511      0.10
24           45.951      5.19       1.48749       70.2
25          -83.346      1.00       1.84666       23.8
26          243.507       d26
27           66.510      1.00       1.81600       46.6
28           29.539      7.53
29          -86.447      1.20       1.72916       54.7
30           42.094      3.27       1.80518       25.4
31        10152.129       d31
（表１４）
各種データ
ズーム比（変倍比）    2.97
短焦点距離端          中間焦点距離          長焦点距離端
FNO.            4.6                   5.7                   5.8
f            146.93                250.00                437.00
W               8.2                   4.9                   2.8
Y             21.64                 21.64                 21.64
fB            38.50                 38.50                 38.50
L            270.00                284.53                335.01
d5            52.59                 67.12                117.60
d10           27.77                 12.10                  4.17
d15            3.51                 19.18                 27.11
d19           27.07                 11.41                  3.47
d26           17.43                 14.06                  3.95
d31           26.53                 45.58                 63.62
（表１５）
レンズ群データ
群          始面          焦点距離
1              1            263.81
2              6            -75.90
3             11             69.20
4             16            -73.72
5             20             45.17
6             27            -44.30
【００６５】
［数値実施例６］
図３１〜図３６と表１６〜表１８は、本発明によるズームレンズ系の数値実施例６を示している。図３１は短焦点距離端における無限遠合焦時のレンズ構成図、図３２はその諸収差図、図３３はその横収差図であり、図３４は長焦点距離端における無限遠合焦時のレンズ構成図、図３５はその諸収差図、図３６はその横収差図である。表１６は面データ、表１７は各種データ、表１８はレンズ群データである。
【００６６】
この数値実施例６のレンズ構成は、以下の点を除いて、数値実施例１のレンズ構成と同様である。
（１）第２レンズ群Ｇ２が、物体側から順に、物体側に凸の負メニスカスレンズ２１’、及び物体側から順に位置する両凹負レンズ２２’と物体側に凸の正メニスカスレンズ２３’の接合レンズからなる。
（２）第６レンズ群Ｇ６の正レンズ６３が、両凸正レンズからなる。
【００６７】
（表１６）
面データ
面番号          R          d          N(d)        ν(d)
1           566.183      2.00       1.72342       38.0
2           190.762      8.22       1.49700       81.6
3          -405.428      0.58
4           171.014      5.58       1.49700       81.6
5           515.940        d5
6           303.773      2.00       1.48749       70.2
7           192.911      1.96
8          -873.847      2.00       1.60738       56.8
9            51.382      4.56       1.60342       38.0
10           89.422       d10
11          150.631      5.22       1.43875       95.0
12         -179.704      0.10
13           52.967      1.80       1.56732       42.8
14           37.782      8.92       1.53775       74.7
15          129.679       d15
16          -87.314      1.40       1.74320       49.3
17           40.828      3.99       1.74077       27.8
18          231.079      2.00
19絞           ∞        d19
20          264.851      4.15       1.48749       70.2
21          -64.132      5.05
22           98.431      3.45       1.49700       81.6
23         -193.545      0.10
24           50.987      5.35       1.48749       70.2
25          -83.500      1.50       1.84666       23.8
26          420.674       d26
27          121.276      1.20       1.81600       46.6
28           31.404      6.02
29         -103.705      1.80       1.72916       54.7
30           31.430      3.98       1.80000       29.9
31         -624.524       d31
（表１７）
各種データ
ズーム比（変倍比）    2.92
短焦点距離端          中間焦点距離          長焦点距離端
FNO.            4.6                   5.7                   5.8
f            149.70                250.00                437.00
W               8.1                   4.9                   2.8
Y             21.64                 21.64                 21.64
fB            38.50                 38.50                 38.50
L            255.00                276.44                340.00
d5            19.84                 41.28                104.84
d10           32.56                 15.78                  5.09
d15            6.69                 23.46                 34.16
d19           30.12                 13.34                  2.65
d26           20.20                 14.20                  3.00
d31           24.16                 46.94                 68.84
（表１８）
レンズ群データ
群          始面          焦点距離
1              1            305.94
2              6           -117.92
3             11             86.95
4             16            -84.30
5             20             49.73
6             27            -43.75
【００６８】
各数値実施例の各条件式に対する値を表１９に示す。
（表１９）
実施例１      実施例２      実施例３
条件式（１）    -1.149        -1.092        -1.012
条件式（２）     2.217         1.454         1.770
条件式（３）    -2.765        -2.741        -2.815
条件式（４）    -0.941        -1.103        -1.019
条件式（５）     1.082         1.205         1.031
条件式（６）     2.398         1.752         1.825
条件式（７）    -6.631        -4.802        -5.137
条件式（８）    0.1253        0.0204        0.0204
実施例４      実施例５      実施例６
条件式（１）    -1.179        -1.097        -1.356
条件式（２）     2.830         1.664         1.927
条件式（３）    -2.298        -3.476        -2.594
条件式（４）    -0.946        -0.939        -1.031
条件式（５）     1.115         1.030         1.399
条件式（６）     3.156         1.713         2.695
条件式（７）    -7.253        -5.955        -6.992
条件式（８）     0.0204       0.0437        0.0295
【００６９】
表１９から明らかなように、数値実施例１〜数値実施例６は、条件式（１）〜（７）を満足しており、諸収差図及び横収差図から明らかなように諸収差及び横収差は比較的よく補正されている。
【００７０】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００７１】
Ｇ１  正の屈折力の第１レンズ群
１１  負レンズ
１２  正レンズ
１３  正レンズ
Ｇ２  負の屈折力の第２レンズ群
２１  負レンズ
２２  正レンズ
２１’  負レンズ
２２’  負レンズ
２３’  正レンズ
Ｇ３  正の屈折力の第３レンズ群
３１  正レンズ
３２  負レンズ
３３  正レンズ
Ｇ４  負の屈折力の第４レンズ群
４１  負レンズ
４２  正レンズ
Ｇ５  正の屈折力の第５レンズ群
５１  正レンズ
５２  正レンズ
５３  正レンズ
５４  負レンズ
Ｇ６  負の屈折力の第６レンズ群
６１  負レンズ
６２  負レンズ
６３  正レンズ
Ｓ  絞り
Ｉ  像面
【図１】
2015125385.tif 000003
【図２】
2015125385.tif 000004
【図３】
2015125385.tif 000005
【図４】
2015125385.tif 000006
【図５】
2015125385.tif 000007
【図６】
2015125385.tif 000008
【図７】
2015125385.tif 000009
【図８】
2015125385.tif 000010
【図９】
2015125385.tif 000011
【図１０】
2015125385.tif 000012
【図１１】
2015125385.tif 000013
【図１２】
2015125385.tif 000014
【図１３】
2015125385.tif 000015
【図１４】
2015125385.tif 000016
【図１５】
2015125385.tif 000017
【図１６】
2015125385.tif 000018
【図１７】
2015125385.tif 000019
【図１８】
2015125385.tif 000020
【図１９】
2015125385.tif 000021
【図２０】
2015125385.tif 000022
【図２１】
2015125385.tif 000023
【図２２】
2015125385.tif 000024
【図２３】
2015125385.tif 000025
【図２４】
2015125385.tif 000026
【図２５】
2015125385.tif 000027
【図２６】
2015125385.tif 000028
【図２７】
2015125385.tif 000029
【図２８】
2015125385.tif 000030
【図２９】
2015125385.tif 000031
【図３０】
2015125385.tif 000032
【図３１】
2015125385.tif 000033
【図３２】
2015125385.tif 000034
【図３３】
2015125385.tif 000035
【図３４】
2015125385.tif 000036
【図３５】
2015125385.tif 000037
【図３６】
2015125385.tif 000038
【図３７】
2015125385.tif 000039